(57)【要約】 【課題】  一回のボタン操作で、携帯電話から、モバイル・ロッタリに参加できるシステムと方法を提供する。【解決手段】  本発明のシステムと方法は、宝くじ参加希望者からの宝くじ申し込みをＳＭＳメッセージを介して受領するＳＭＳセンタと、前記宝くじ参加希望者を宝くじに登録するロッタリ・レジストレーション・サーバと、前記宝くじから当選者を当てるくじ当選決定サーバと、前記宝くじ参加希望者に宝くじの当選状態を通知する当選者通知システムとを有する。更に本発明はのシステムと方法は、前記宝くじ参加希望者にサポートを提供するカスタマー・サービス・センタと、前記宝くじ参加希望者に対し申し込み料金を処理する課金サーバとを有する【選択図】  図１
2009516242.tif 000002
【特許請求の範囲】
【請求項１】
モバイル・ロッタリ・システムにおいて、
（ａ）  宝くじ参加希望者からの宝くじ申し込みをＳＭＳメッセージを介して受領するＳＭＳセンタと、
（ｂ）  前記宝くじ参加希望者を宝くじに登録するロッタリ・レジストレーション・サーバと、
（ｃ）  前記宝くじから当選者を当てる宝くじ当選決定サーバと、
（ｄ）  前記宝くじ参加希望者に宝くじの当選状態を通知する当選者通知システムと
を有する
ことを特徴とするモバイル・ロッタリ・システム。
【請求項２】
（ｅ）  前記宝くじ参加希望者にサポートを提供するカスタマー・サービス・センタと、
（ｆ）  前記宝くじ参加希望者に対し申し込み料金を処理する課金サーバと
をさらに有する
ことを特徴とする請求項１記載のシステム。
【請求項３】
前記ロッタリ・レジストレーション・サーバと、前記宝くじ当選決定サーバと、前記カスタマー・サービス・センタと、前記課金サーバとは、ロッタリ・オペレーション・センタの一部である
ことを特徴とする請求項２記載のシステム。
【請求項４】
前記ＳＭＳセンタは、前記宝くじ参加希望者の携帯機器を、前記ＳＭＳメッセージ内の携帯機器識別子を介して、同定する
ことを特徴とする請求項１記載のシステム。
【請求項５】
前記携帯機器識別子は、携帯機器の電話番号である
ことを特徴とする請求項４記載のシステム。
【請求項６】
前記宝くじ参加希望者は、前記携帯機器から１回のステップで、申し込むことができる
ことを特徴とする請求項４記載のシステム。
【請求項７】
前記当選者通知システムは、モバイル・ロッタリ・ウエブサイトとテレビ放送とネットワーク送信からなるグループから選択された少なくとも１つの通知システムを含む
ことを特徴とする請求項１記載のシステム。
【請求項８】
前記当選者通知システムは、リアルタイムで前記宝くじの当選状態を示す
ことを特徴とする請求項７記載のシステム。
【請求項９】
前記当選者通知システムは、リアルタイムで当選者を示す
ことを特徴とする請求項７記載のシステム。
【請求項１０】
前記当選者通知システムは、リアルタイムで前記宝くじの申し込みの番号を示す
ことを特徴とする請求項７記載のシステム。
【請求項１１】
前記当選者は、前記宝くじ参加希望者からランダムに選択される
ことを特徴とする請求項１０記載のシステム。
【請求項１２】
前記ロッタリ・レジストレーション・サーバは、前記宝くじ参加希望者をインターネットを介して登録する
ことを特徴とする請求項１記載のシステム。
【請求項１３】
前記ロッタリ・レジストレーション・サーバは、
（ｉ）  前記宝くじ参加希望者の誕生日を知るステップと、
（ｉｉ）  前記宝くじ参加希望者が所定の年齢制限以上であるかを確認するステップと
を実行する
ことを特徴とする請求項１記載のシステム。
【請求項１４】
前記ロッタリ・レジストレーション・サーバは、
（ｉｉｉ）  所定の年齢以下の宝くじ参加希望者の携帯機器の電話番号をブロックするステップ
を実行する
ことを特徴とする請求項１３記載のシステム。
【請求項１５】
前記ロッタリ・レジストレーション・サーバは、前記宝くじの申し込みに対し、特定の宝くじに関係する独自の宝くじチケット番号を生成する
ことを特徴とする請求項１記載のシステム。
【請求項１６】
前記特定の宝くじ番号に対し、宝くじ参加希望者を登録する
ことを特徴とする請求項１５記載のシステム。
【請求項１７】
携帯機器ユーザが宝くじに参加する方法において、
（ａ）  宝くじ参加希望者からの宝くじ申し込みをＳＭＳメッセージを介して受領するステップと、
（ｂ）  前記宝くじ参加希望者を宝くじに登録するステップと、
（ｃ）  前記宝くじから当選者を当てるステップと、
（ｄ）  前記宝くじ参加希望者に宝くじの当選状態を通知するステップと
を有する
ことを特徴とする携帯機器ユーザが宝くじに参加する方法。
【請求項１８】
（ｅ）  前記宝くじ参加希望者にサポートを提供するステップと、
（ｆ）  前記宝くじ参加希望者に対し申し込み料金を処理するステップと
をさらに有する
ことを特徴とする請求項１７記載の方法。
【請求項１９】
前記ステップ（ｂ）は、前記宝くじ参加希望者の携帯機器を、前記ＳＭＳメッセージ内の携帯機器識別子を介して、同定するステップを有する
ことを特徴とする請求項１７記載の方法。
【請求項２０】
前記携帯機器識別子は、携帯機器の電話番号である
ことを特徴とする請求項１９記載の方法。
【請求項２１】
（ｅ）  前記携帯機器から１回のステップで、前記宝くじに申し込むステップ
を更に有する
ことを特徴とする請求項１９記載の方法。
【請求項２２】
前記ステップ（ｂ）は、前記携帯機器にインストールされたソフトウエアにより開始される
ことを特徴とする請求項２１記載の方法。
【請求項２３】
前記ステップ（ｄ）は、モバイル・ロッタリ・ウエブサイトとテレビ放送とネットワーク送信からなるグループから選択された少なくとも１つの通知システムを用いて実行される
ことを特徴とする請求項１７記載の方法。
【請求項２４】
前記ステップ（ｄ）は、リアルタイムで前記宝くじの当選状態を示す
ことを特徴とする請求項２３記載の方法。
【請求項２５】
前記ステップ（ｄ）は、リアルタイムで当選者を示す
ことを特徴とする請求項２３記載の方法。
【請求項２６】
前記ステップ（ｄ）は、リアルタイムで前記宝くじの申し込みの番号を示す
ことを特徴とする請求項２３記載の方法。
【請求項２７】
前記当選者は、前記宝くじ参加希望者からランダムに選択される
ことを特徴とする請求項２６記載の方法。
【請求項２８】
前記ステップ（ｂ）は、前記宝くじ参加希望者をインターネットを介して、実行される
ことを特徴とする請求項１７記載の方法。
【請求項２９】
（ｅ）  前記宝くじ参加希望者の誕生日を知るステップと、
（ｆ）  前記宝くじ参加希望者が所定の年齢制限以上であるかを確認するステップと
を有する
ことを特徴とする請求項１７記載の方法。
【請求項３０】
（ｇ）  所定の年齢以下の宝くじ参加希望者の携帯機器の電話番号をブロックするステップ
ことを特徴とする請求項２９記載の方法。
【請求項３１】
（ｈ）  前記宝くじの申し込みに対し、特定の宝くじに関係する独自の宝くじチケット番号を生成するステップ
をさらに有する
ことを特徴とする請求項１７記載の方法。
【請求項３２】
前記ステップ（ｂ）は、前記特定の宝くじ番号に対し宝くじ参加希望者を登録する
ことを特徴とする請求項３１記載の方法。
【請求項３３】
宝くじを運営するビジネス方法において、
（ａ）  宝くじの販売登録を提供するステップと、
（ｂ）  宝くじ参加希望者からの宝くじ申し込みをＳＭＳメッセージを介して受領するステップと、
（ｂ）  前記宝くじ参加希望者を宝くじに登録するステップと、
（ｃ）  前記宝くじから当選者を当てるステップと、
（ｅ）  前記宝くじ参加希望者に宝くじの当選状態を通知するステップと
を有する
ことを特徴とする宝くじを運営するビジネス方法。
【発明の詳細な説明】
【技術分野】
【０００１】
本発明は、モバイル・ロッタリのシステムと方法に関し、特に、携帯電話からＳＭＳメッセージを送信することにより、１つのボタンを押すだけで宝くじを購入（宝くじに参加）できるサービスを提供するシステムと方法に関する。
【背景技術】
【０００２】
本発明の目的は、モバイル・ロッタリを実行するシステムと方法に関し、特に、携帯電話からＳＭＳメッセージを送信することにより、１つのボタンを押すだけで宝くじを購入できるサービスを提供するシステムと方法を提供することである。現在のところ、携帯電話により宝くじに参加することは、複雑な操作を必要とし、それ故に、ユーザにはそれを取り扱う技術が要求され、多くの時間を浪費してしまう。このように、宝くじに参加する（宝くじを購入する）一例は、ＳＭＳメッセージを送信することである。この方法によれば、ユーザは宝くじに含まれる番号を選択するさらなるステップとして、携帯電話に搭載された所定のソフトウェア手段により、番号を選択し、それを送信する。
【発明の開示】
【発明が解決しようとする課題】
【０００３】
携帯電話により宝くじに参加できる単純且つユーザ・フレンドリーのシステムと方法を提供する必要がある。
【０００４】
宝くじに参加することは、本発明の一実施例によれば、ＳＭＳメッセージを宝くじ会社の特定の番号に送信することにより行われる。宝くじの参加者の同定は、電話番号により行い、これは、宝くじの参加者番号として機能し、参加者の宝くじのチケットとしての番号リストを提供する必要性をなくす。
【０００５】
本明細書において、「会社」とは、宝くじシステムの操作／管理を行う実体／法人を意味する。このロッタリ・システムは、宝くじシステムと登録システムと当選金支払いシステムとウェブサイト・システムとを有する。このシステムの全てあるいは一部の操作は、アウトソーシングすることもできる。
【課題を解決するための手段】
【０００６】
本発明のシステムと方法により、１個のボタンを押すだけで宝くじに参加することができる。
【０００７】
本発明とシステムにより、以下の基本的な動作を実行する。その一部は、複数の方法で実行可能である。
【０００８】
Ａ．  新規クライアントのシステムへの登録
このシステムは、宝くじシステムのデータベースに初期登録を必要とする。これは、主に法規制（例えば、年齢の確認と不正の防止）を遵守するためである。しかし、広告目的としても機能する。
【０００９】
システムへの登録は、いくつかの方法／手段で行われる。
ｉ．  テキスト・メッセージ（ＳＭＳ）を用いた携帯電話の手段。
ｉｉ．  サービス・ソフトウェア（例えば、ＷＡＰ、Ｊ２ＭＥ、シンビアン・プラットフォーム（Symbian platform）、他のプログラム・ランゲージのいずれかに基づく）を用いた携帯電話の手段。
ｉｉｉ．  宝くじ会社のウェブサイトを介したインターネットの手段。
ｉｖ．  カスタマー・サービス・センタを利用する手段。
【００１０】
Ｂ．  宝くじへの参加の登録
このシステムにより、様々な種類の宝くじへの登録が可能となる。この宝くじは、毎日、毎週、毎月、毎年、行われ、クライアントが参加を望んだ期間で繰り返す。登録オプションは、以下の方法／手段を含む。
ｉ．  テキスト・メッセージ（ＳＭＳ）を用いた携帯電話の手段。
ｉｉ．  サービス・ソフトウェア（例えば、ＷＡＰ、Ｊ２ＭＥ、シンビアン・プラットフォーム（Symbian platform）、他のプログラム・ランゲージのいずれかに基づく）を用いた携帯電話の手段。
ｉｉｉ．  宝くじ会社のウェブサイトを介したインターネット手段。
ｉｖ．  カスタマー・サービス・センタを利用する手段。
【００１１】
Ｃ．  宝くじの販売終了
宝くじの販売終了時点において、宝くじに対する登録が締め切られ、それ以降の登録は、同一の宝くじに対してはできない。宝くじのルールによれば、１回の宝くじで複数の当選者がいることがある。
【００１２】
本発明によれば、以下の構成要素を有するモバイル・ロッタリ・システムが提供できる。すなわち、このモバイル・ロッタリ・システムは、（ａ）モバイル・ロッタリ・ウエブサイトと、（ｂ）ロッタリ・オペレーション・センタと、（ｃ）モバイル・ネットワークと、（ｄ）宝くじ課金（と／或いは当選金支払い）センタとを含む。前記ロッタリ・オペレーション・センタは、モバイル・ロッタリ・ウエブサイトにリンクされ、（ｉ）ロッタリ・レジストレーション・サーバと、（ｉｉ）宝くじサーバと、（ｉｉｉ）カスタマー・サービス・センタとを有する。前記モバイル・ネットワークは、（ｉ）ＳＭＳセンタを有する。前記宝くじ課金センタは、課金（当選金支払い）サーバを有する。前記モバイル・ネットワークは、宝くじ課金センタにリンクされる。この宝くじ課金センタは、ロッタリ・オペレーション・センタにリンクされる。モバイル・ネットワークは、ロッタリ・オペレーション・センタにリンクされる。
【００１３】
本発明によれば、モバイル・ロッタリ・システムは、さらに、（ｅ）携帯機器を有する。この携帯機器により、顧客は、モバイル・ロッタリ・システムにコンタクトできる。このモバイル・ロッタリ・システムは、クライアントの携帯機器の番号と通信できる。
【００１４】
本発明のさらなる特徴によれば、携帯機器は、セル方式の携帯機器である。
【００１５】
本発明のさらなる特徴によれば、携帯機器は、セル方式の携帯電話である。
【００１６】
本発明によれば、携帯電話からＳＭＳメッセージを送信することにより、携帯電話のユーザは、１つのボタンを押すだけで宝くじの購入ができる方法を、提供できる。本発明の方法は、（ａ）モバイル・ロッタリ・システムを用意するステップと、（ｂ）前記モバイル・ロッタリ・システム内にクライアントの登録を実行するステップと、（ｃ）前記モバイル・ロッタリ・システムの宝くじに、携帯電話でＳＭＳメッセージを送信することにより、クライアントが参加するステップと、（ｄ）宝くじの抽選を行い、その結果を特定のクライアントに通知するステップとを有する。このモバイル・ロッタリ・システムは、（ｉ）モバイル・ロッタリ・ウエブサイトと、（ｉｉ）ロッタリ・オペレーション・センタと、（ｉｉｉ）モバイル・ネットワークと、（ｉｖ）宝くじ課金センタとを含む。前記ロッタリ・オペレーション・センタは、モバイル・ロッタリ・ウエブサイトにリンクされ、（Ａ）ロッタリ・レジストレーション・サーバと、（Ｂ）宝くじサーバと、（Ｃ）カスタマー・サービス・センタとを有する。前記モバイル・ネットワークは、（ｉ）ＳＭＳセンタを有する。前記宝くじ課金センタは、（Ａ）課金サーバを有する。前記モバイル・ネットワークは、宝くじ課金センタにリンクされる。この宝くじ課金センタは、ロッタリ・オペレーション・センタにリンクされる。モバイル・ネットワークは、ロッタリ・オペレーション・センタにリンクされる。
【００１７】
本発明の一実施例のさらなる特徴によれば、本発明の方法は、（ｅ）モバイル・ロッタリ・システムに、携帯機器の手段により、新規クライアントを登録するステップを含む。
【００１８】
本発明の一実施例のさらなる特徴によれば、本発明の方法は、（ｅ）モバイル・ロッタリ・システムに、顧客サービス・センタの手段により、新規クライアントを登録するステップを含む。
【００１９】
本発明の一実施例のさらなる特徴によれば、前記登録は、携帯機器にインストールされたソフトウェアを介して行われる。
【００２０】
本発明の一実施例のさらなる特徴によれば、前記登録は、インターネットを介して行われる。
【００２１】
本発明の一実施例のさらなる特徴によれば、前記登録は、顧客サービス・センタを介して行われる。
【００２２】
本発明の一実施例のさらなる特徴によれば、モバイル・ロッタリ・システムは、さらに、（ｖ）携帯機器を有する。この携帯機器により、顧客は、モバイル・ロッタリ・システムにコンタクトできる。このモバイル・ロッタリ・システムは、クライアントの携帯機器の番号と通信できる。
【実施例】
【００２３】
図１において、モバイル・ロッタリ・システム１０は、モバイル・ロッタリ・ウエブサイト １６を有するインターネット１１と、ロッタリ・レジストレーション・サーバ１２を有するロッタリ・オペレーション・センタ１７と、宝くじサーバ１８と、カスタマー・サービス・センタ２２と、ＳＭＳセンタ２０を有するモバイル・ネットワーク１４と、課金サーバ１９を有する課金センタ１３とからなる。
【００２４】
カスタマー・サービス・センタ２２は、顧客広報管理（Customer Relations Management (CRM)）ユニットを有する。このユニットは、顧客関連情報を管理し、宝くじ会社と顧客との良好な関係を創設し維持する目的で開発されたシステムとソフトウェアとを取り扱う。
【００２５】
図１において、クラアント１５と携帯機器２１をさらに有し、それらによりモバイル・ロッタリ・システム１０にコンタクトする。
【００２６】
本明細書において、「クライアント（顧客）」と「ユーザ（利用者）」、「宝くじ購入者」は、同一の意味で使用する。
【００２７】
携帯機器２１は、携帯電話または携帯ネットワークあるいは他の適宜のネットワークと通信できる携帯機器である。図１では、システムの構成要素とそれらの間の通信状態を示す。
【００２８】
本明細書において、携帯機器２１を介して行われる通信は、モバイル・ロッタリ・システム１０がクラアント１５の携帯機器２１と通信を行う限り、他の手段で行うことができる。この一例はコンピュータからＳＭＳメッセージを送信することである。
【００２９】
図２．１と図２．２は、本発明の一実施例の第１宝くじシステムの登録方法を示すフローチャート図である。
【００３０】
本発明の一実施例によれば、この登録により、参加者が自由に宝くじチケットを購入できるようになる。
【００３１】
図２．１のフローチャート図は、参加する人のメッセージを送ることにより開始し（４０）、参加者が未成年かどうかの決定をするまでこのステップが行われる（４８）。
【００３２】
この図２．２のフローチャートでは、参加者が未成年者であるか否かの決定（４８）からスタートする。
【００３３】
本発明の登録方法は次の通りである。
クラアント１５は、テキスト・メッセージを携帯機器２１により、ロッタリ・オペレーション・センタ１７の電話番号に送る。このテキスト・メッセージは、申し込みの開始のような所定のワード・符号を含む（４０）。
【００３４】
メッセージがＳＭＳセンタ２０に入る。
このメッセージは、ＳＭＳセンタ２０からロッタリ・オペレーション・センタ１７内にあるロッタリ・レジストレーション・サーバ１２に中継される。この中継されたメッセージは、メッセージの送り元の電話番号とメッセージの内容とを含む。
【００３５】
クラアント１５は、ロッタリ・レジストレーション・サーバ１２により、自分の電話番号に従って唯一のものとして認識される。ロッタリ・レジストレーション・サーバ１２は、クライアントが新規クライアントであるか否かのチェックを行う（４１）。クライアントが２回目以上のクライアントである場合（４２）、システムは、このクライアントを通常の宝くじ参加プロセスに従って処理する。その詳細を図３に示す。クライアントが新規クライアントである場合（４１）、ロッタリ・レジストレーション・サーバ１２は、このクライアントにメッセージを送る（４３）。このメッセージは、クライアントに対し自分の誕生日を送るよう要求し、クライアントが未成年者（出生地の法律で決まる）であるかを確認する。このシステムと方法では、州外にいるクラアント１５に対する宝くじへの参加も可能となる。クライアントが州外にいる場合、必要な手段とサービスが付加されて、地域法によるクラアント１５の年齢が確認される。
【００３６】
このメッセージをクラアント１５が、携帯機器２１の手段によりモバイル・ネットワーク１４を介して受領する。
【００３７】
このクライアントが自分の誕生日を送らなかった場合（４４）、クライアントは、このシステムに新規クライアントとして登録されない。しかし、誕生日が送られても、携帯電話を介してメッセージを受領したロッタリ・レジストレーション・サーバ１２は、この誕生日が正しい書式で記載されているか否かをチェックする（４６）。
【００３８】
誕生日が正しく記載されていない（書式が間違っているとか、数字（１月）の代わりに文字（January）が送られる等）場合、メッセージが繰り返し送られて、正確な書式を要求する上記したプロセスが繰り返される（４７）。誕生日が正しく記載されている場合には、ロッタリ・レジストレーション・サーバ１２は、送信者の年齢が宝くじ参加できるか否か（出生地の法律に依存する）を見るためのチェックを行う（４８）。
【００３９】
サーバが、送信者が上記により未成年者であると特定すると、送信者の電話番号はシステムによりブロックされ（５０）、宝くじへの参加は拒否される（５４）。この場合、ロッタリ・レジストレーション・サーバ１２は、メッセージをクラアント１５の携帯機器２１にモバイル・ネットワーク１４を介して送る（５２）。これにより参加者をカスタマー・サービス・センタ２２に接触するよう促し、自分の年齢を他の手段により証明するか、あるいは送信者が宝くじに参加できない理由を説明する（５４）。
【００４０】
ロッタリ・レジストレーション・サーバ１２がクライアントの年齢を宝くじに参加するのに合法的であると認定した場合は、ロッタリ・レジストレーション・サーバ１２は、独自のコード（ＣＤ１２３４）を生成する（４９）。これにより、クライアントの将来の宝くじの参加への登録が、カスタマー・サービス・センタ２２で行われる。さらに、ロッタリ・レジストレーション・サーバ１２は、その宝くじに独自のＩＤ番号（＃４２４２４２）でクライアントに対する宝くじ参加チケットを生成する（５１）。
【００４１】
この生成されたコード（ＣＤ１２３４）（４９）と参加チケット（＃４２４２４２）（５１）が、宝くじの日付と共に２つの個々のメッセージ（５３、５５）により、ロッタリ・レジストレーション・サーバ１２により、モバイル・ネットワーク１４を介してクラアント１５の携帯機器２１にそれぞれ送られる。上記のプロセスが行われると、クライアントは、システム内に登録されたクライアントとなり、次の宝くじに参加できる。
【００４２】
図３は、本発明の一実施例により、携帯電話でテキスト・メッセージ（ＳＭＳ）を送信することにより、宝くじに参加する方法を表すフローチャート図である。
【００４３】
図３において、クラアント１５はテキスト・メッセージを携帯機器２１によりロッタリ・オペレーション・センタ１７の電話番号に送る。このメッセージは、自分の番号（ＣＤ１２３４）を含む（８０）。これにより、次の宝くじによる１回のみの参加が可能となる。しかし、あらかじめ宝くじの定期会員として登録するためには、クラアント１５は、所望の期間（例えば＃で区切られた数字）を送信する。クラアント１５が週間の宝くじに参加を望む時には、クラアント１５は、ＣＤ１２３４＃ＷＥＥＫのメッセージを送信する。クライアントは、複数回の参加申し込みを送ることができる。各申し込みで、そのクライアントに対し適宜の参加チケットを生成する。
【００４４】
このメッセージは、モバイル・ネットワーク１４を介してロッタリ・レジストレーション・サーバ１２に到達する。このメッセージは、ＳＭＳセンタ２０からロッタリ・オペレーション・センタ１７内のロッタリ・レジストレーション・サーバ１２に中継される。この中継されたメッセージは、メッセージの送り元の電話番号とメッセージの内容とを含む。クラアント１５は、ロッタリ・レジストレーション・サーバ１２により、自分の電話番号により唯一のものとして認識される。ロッタリ・レジストレーション・サーバ１２は、送信されてきたユーザ・コード（８０）が、クライアントの携帯電話番号に一致するかをチェックする（８１）。
【００４５】
ユーザ・コードがクラアント１５の携帯機器２１の番号に一致しなかった場合、または送られたユーザ・コードが他の理由で不正確な場合には、クラアント１５は、この送られた番号は不正確であるとのメッセージを受領する（８２）。さらに、このメッセージに、クライアントはカスタマー・サービス・センタ２２に接触するよう指示するメッセージが添付される。このメッセージは、クラアント１５に携帯機器２１を介してモバイル・ネットワーク１４上で送信される。上記の場合、クライアントの参加要求は、登録されず、彼はその宝くじに参加できない（８４）。
【００４６】
ユーザ・コードが正確な場合には、ロッタリ・レジストレーション・サーバ１２は特定の宝くじに対し独自の番号（＃４３４３４３）を有する参加チケットを生成する（８３）。
【００４７】
宝くじのチケット番号（＃４３４３４３）（宝くじの日付とを組み合わせた）がロッタリ・レジストレーション・サーバ１２により、モバイル・ネットワーク１４を介してクラアント１５の携帯機器２１に送信される（８３，８５）。さらに、特定の参加要求（定期的な宝くじへの参加要求）が送られる場合には、この要求はロッタリ・レジストレーション・サーバ１２に登録され、各宝くじの抽選の前に、クラアント１５は自分用に生成されたチケット番号を具備したメッセージを受信する（８５）。上記の後、クライアントは、自分の選択した宝くじに参加する（８６）。
【００４８】
図４は、本発明の一実施例により宝くじの抽選が行われ、参加者にその結果が通知される方法を表すフローチャート図である。
【００４９】
宝くじの抽選時に、ロッタリ・レジストレーション・サーバ１２は、全ての宝くじの参加チケットを宝くじサーバ１８に中継（送信）する。宝くじサーバ１８は、ランダムに、当選番号の数と同数のチケットを選択し、宝くじのルールに従って、ランキングする。この宝くじの抽選は、テレビ、インターネットあるいは他の媒体で、その結果を生放送することができる。当選番号は、宝くじサーバ１８からロッタリ・レジストレーション・サーバ１２に中継され、そしてモバイル・ロッタリ・ウエブサイト １６上に掲示される。さらに、ロッタリ・レジストレーション・サーバ１２は、メッセージを全ての当選者に送り、彼らにその旨を通知する（１０３）。一方、はずれた参加者は、当選番号のリストと共にメッセージを受領する（１０２）。このメッセージは、クラアント１５にロッタリ・レジストレーション・サーバ１２を介してモバイル・ネットワーク１４上で送信される。さらに、このメッセージはＥメールを介して（その宝くじに参加した者およびその住所システムにリストアップされている者に）送信される。ロッタリ・レジストレーション・サーバ１２は、当選者のリストを課金センタ１３にある課金サーバ１９に送信する。この課金サーバ１９は、当選金を当選者に、小切手、モバイル・ロッタリ・システム１０により可能とされる支払い方法で払い戻される。上記によれば、全てのクライアントは、自分が当たったか否かを知ることができ、賞金（商品）を受け取ることができる（１０４）。
【００５０】
図５は、クライアント１５が、新規クライアントとして、本発明のソフトウェアを用いて携帯機器２１の手段により、モバイル・ロッタリ・システム１０に登録される方法を示す。
【００５１】
クラアント１５は、ソフトウェアをダウンロードしインストールする（１４０）。このソフトウェアは、ロッタリ・オペレーション・センタ１７を運営する会社により提供される。このソフトウェアによりクラアント１５はその会社のクライアントとして登録され、いくつかの種類の宝くじに参加する登録がなされる。このソフトウェアは、会社のモバイル・ロッタリ・ウエブサイト １６から直接ダウンロードすることもでき、また直接クラアント１５の携帯機器２１に送信することもできる。ソフトウェアをインストールした後、クラアント１５は自分の個人の詳細データをソフトウェアを介して登録する（１４１）。この詳細データは、携帯機器２１から直接ロッタリ・レジストレーション・サーバ１２に中継される。クラアント１５の詳細データは、ロッタリ・レジストレーション・サーバ１２が検査して、クラアント１５がシステムにすでに登録されていないことを確認する（１４２）。クラアント１５が新規クライアントでない場合、このクラアント１５は、図３の示すように、既登録クライアント１５として取り扱われる（１４３）。クライアントがシステム内で登録されていない（新規クライアントの）場合、ロッタリ・レジストレーション・サーバ１２は、クラアント１５は出生地の法律で未成年ではないことを確認する（１４４）。クラアント１５が未成年者と見なされると、ソフトウェアは、彼は未成年者故に宝くじに登録できない旨のメッセージを表示する。さらに未成年者は、自分がロッタリ・オペレーション・センタ１７に問い合わせるよう指示されたメッセージを受領する。この場合、クラアント１５は、モバイル・ロッタリ・システム１０内には登録されず、宝くじへ参加できない者として登録される（１５１）。
【００５２】
クライアント１５が未成年者でない場合、彼の詳細データは、システム内に登録される。登録後、ロッタリ・レジストレーション・サーバ１２は、このユーザ用に独自のコード（ＣＤ１２３４）を生成する（１４５）。これは、クライアント１５が、カスタマー・サービス・センタ２２に将来宝くじへの参加を登録する時に役立つ。さらに、この宝くじに独自のＩＤ番号（＃４２４２４２）の宝くじ参加チケットが彼の為に生成される（１４６）。この生成されたコード（ＣＤ１２３４）と宝くじ参加チケット（＃４２４２４２）が、宝くじの日付と共に、２つのメッセージ（１４７，１４８）で、ロッタリ・レジストレーション・サーバ１２によりモバイル・ネットワーク１４を介して、クラアント１５の携帯機器２１にそれぞれ送られる。
【００５３】
上記のことが行われると、クラアント１５は、モバイル・ロッタリ・システム１０内に登録され、次の宝くじへの参加が登録される（１４９）。
【００５４】
図６は、クラアント１５がモバイル・ロッタリ・システム１０内で新規クライアントとしてインターネットを介して登録されるフローチャートを示す。
【００５５】
クラアント１５は、モバイル・ロッタリ・ウエブサイト １６を見て、自分の個人詳細データを記入する（６０）。この詳細データは、自分の携帯機器２１の番号と自分のＥメールアドレスを含む。この作業はサイト登録と称するが、詳細データをロッタリ・レジストレーション・サーバ１２が受領しない限り、正規の登録ではない。定期的な宝くじ（毎日の宝くじ、週間宝くじ等）の登録は、初期登録が済むと可能となる。個人詳細データは、モバイル・ロッタリ・ウエブサイト １６からロッタリ・レジストレーション・サーバ１２に中継される。クラアント１５の詳細データをロッタリ・レジストレーション・サーバ１２が検討し、クラアント１５がモバイル・ロッタリ・システム１０内に以前に登録されていないことを確認する。彼が新規クライアントでない場合、常連クライアントとして登録される。クラアント１５がシステムにまだ登録されていない（新規クライアント）である場合、このロッタリ・レジストレーション・サーバ１２は、クラアント１５が出生地の法律で未成年者であるとみなされないことを確認する（６３）。クラアント１５が未成年者であると見なされると、ロッタリ・レジストレーション・サーバ１２は彼が未成年者であり、宝くじ７２への登録ができない旨のメッセージをモバイル・ロッタリ・ウエブサイト １６に送る。さらに、彼は自分がロッタリ・レジストレーション・サーバ１２に行くよう促すようなメッセージを受領する。クラアント１５は、モバイル・ロッタリ・システム１０内には登録されず、宝くじには参加できない（７３）。
【００５６】
クラアント１５が未成年者でない場合、クラアント１５の詳細データがシステム内に登録される。さらに、ロッタリ・レジストレーション・サーバ１２は、登録目的のためのみ識別コードを生成する。この識別コードは、ＳＭＳテキスト・メッセージとして、クラアント１５にＥメールを介して、或いは直接クラアント１５の携帯機器２１に、転送される。この識別コードは、正規の顧客への嫌がらせや迷惑を防止する手段として利用される。クラアント１５は、識別コードをロッタリ・オペレーション・センタ１７の電話番号に返信するよう要求され、これにより登録を完了する（６４）。クラアント１５がこの識別コードを返信しない場合、あるいは送られてきた識別コードが、登録が行われる携帯機器２１の番号に一致しない場合には、クラアント１５は、登録クライアントとしては見なされず、宝くじへの参加ができない（６６）。識別コードが正しい場合、ロッタリ・レジストレーション・サーバ１２は、独自のコード（ＣＤ１２３４）を生成し（６７）、この識別コードが、将来の宝くじの登録用にクライアントにサービスされ、且つカスタマー・サービス・センタ２２に登録される。さらに、宝くじに対する独自の識別番号（＃４２４２４２）を有する宝くじ参加チケットが彼のために生成される（６８）。この生成されたコード（ＣＤ１２３４）と宝くじチケット番号（＃４２４２４２）（宝くじの日付と組み合わせて）が、ロッタリ・レジストレーション・サーバ１２によりモバイル・ネットワーク１４を介してクラアント１５の携帯機器２１に、２つの別のメッセージとして、送信される（６９、７０）。
【００５７】
上記のことが起こると、クラアント１５は、システム内では登録されたクライアントとなり、次の宝くじに参加できる（７１）。
【００５８】
図７は、クラアント１５がモバイル・ロッタリ・システム１０内で新規クライアントとしてカスタマー・サービス・センタ２２により登録されるフローチャートを示す。
【００５９】
クラアント１５は、カスタマー・サービス・センタ２２に、携帯機器２１によりあるいはインスタント・メッセージング・ソフトウェア（チャット）により、接触（コンタクト）し、自分の個人詳細データを与えて顧客サービス部門により登録される。この顧客サービス部門により使用されるソフトウェアは、クラアント１５の個人詳細データをロッタリ・レジストレーション・サーバ１２に送る。全ての詳細データが転送され、クラアント１５が未成年者でない場合には、ロッタリ・レジストレーション・サーバ１２は、登録目的のためだけに独自コードを生成する（１２１）。この独自コードをクラアント１５に、携帯機器２１、Ｅメール、インスタント・メッセージング・ソフトウェア（チャット）、あるいは他の安全な手段を介して、転送する。このサービス部門は、クラインアント１５に対し、この独自コードを、登録されている携帯機器２１から送り返すよう指示する（１２２）。これにより登録を完了する。クライアントが独自コードを送り返さなかったり、送られた独自コードが、登録が行われようとする携帯機器２１の電話番号に一致しない場合には、クラアント１５は登録されず、宝くじには参加できない（１２４）。独自コードが正しい場合、ロッタリ・レジストレーション・サーバ１２は、独自のコード（ＣＤ１２３４）を生成し（１２５）、これを、クラアント１５の将来の登録用にあるいはカスタマー・サービス・センタ２２の登録用に、用いる。さらに、ロッタリ・レジストレーション・サーバ１２が、この宝くじに独自の番号（＃４２４２４２）の宝くじ参加チケットを生成する（１２６）。この生成されたコード（ＣＤ１２３４）と宝くじチケット番号（＃４２４２４２）は、宝くじの日付と組み合わせて、ロッタリ・レジストレーション・サーバ１２により、モバイル・ネットワーク１４を介して、クラアント１５の携帯機器２１に２つの別個のメッセージとして、送信される（１２７、１２８）。
【００６０】
上記のことが起こると、クラアント１５は、システム内では登録されたクライアントとなり、次の宝くじに参加できる（１２９）。
【００６１】
図８は、本発明の一実施例により、クラアント１５が、携帯機器２１にインストールされたソフトウエアにより、登録されるフローチャートを示す。
【００６２】
クラアント１５は、会社により提供されたソフトウェアをダウンロードしインストールする（１６０）。このソフトウェアによりクラアント１５はその会社のクライアントとして登録され、いくつかの種類の宝くじに参加する登録がなされる。このソフトウェアは、会社のモバイル・ロッタリ・ウエブサイト １６から直接ダウンロードすることも、また直接クラアント１５の携帯機器２１に送信することもできる。このステップは、ソフトウェアがクラアント１５の携帯機器２１に既にインストールされている場合には、不要である。例えば、ソフトウェアが登録段階でインストールされている場合（１４０）である。ソフトウェアをインストールした後、クラアント１５は、自分のパーソナル・コードを入力することにより自由にログインできる。このコードは、ロッタリ・レジストレーション・サーバ１２により相互チェックされ、電話をかけた携帯機器２１の番号とクラアント１５のパーソナル・コードとの間の対応（一致）を確認する。さらなるチェックを接続後、行ってもよい。例えばクラアント１５がブロックされていないことを確認してもよい。何かの理由でこのプロセスが不成功に終わった時には、クラアント１５には、さらにガイドするサポート・メッセージが与えられる（１６３）。クラアント１５は、サービス部門に回される。入力が成功裏に完了すると、ソフトウェアはクラアント１５に対し働いて、クラアント１５は、これから「プレイ・ナウ（Play now）」のボタンを押して、次の宝くじに登録する。さらにクラアント１５は、様々な定期的な宝くじ、例えば週間宝くじ、月間宝くじから選択できる（１６４）。クラアント１５により選択されるあらゆるオプションは、ロッタリ・レジストレーション・サーバ１２に中継されて、モバイル・ロッタリ・システム１０に登録される。ロッタリ・レジストレーション・サーバ１２は、クラアント１５に対し参加チケット（＃１０３０）を生成し（１６５）、その番号をソフトウェアを用いて表示する。さらにチケット番号は、クラアント１５の携帯機器２１にテキスト・メッセージ（＃１０３０）として送信される（１６６）。
【００６３】
上記のことが行われると、クライアントは自分の選択した宝くじに参加できる。
【００６４】
図９は、本発明の一実施例により、インターネット１１を介して宝くじの登録を行うフローチャートである。
【００６５】
クラアント１５は、宝くじ会社のモバイル・ロッタリ・ウエブサイト １６をサーフィングして、そこでモバイル・ロッタリ・システム１０に携帯機器２１の番号と自分の個人コードを入力することにより、ログインする（１８０）。このデータは、モバイル・ロッタリ・ウエブサイト １６からロッタリ・レジストレーション・サーバ１２に中継される。ロッタリ・レジストレーション・サーバ１２は、携帯機器２１の番号とクラアント１５の個人コードとの一致をチェックする。さらなるチェックを、接続を完了する前に行ってもよい。例えばクラアント１５がブロックされていないことを確認することである。何らかの理由でプロセスが成功裏に完了しない場合には、クラアント１５はさらに自分をガイドするサポート・メッセージを受領する（１８２）。さらにクラアント１５がカスタマー・サービス・センタ２２にあるサービス部門に向けられてもよい。入力プロセスが成功裏に完了すると、モバイル・ロッタリ・ウエブサイト １６は、クライアントが「プレイ・ナウ（Play now）」のボタンをクリックすると、次の宝くじに登録するようにしたクラアント１５に、開く。さらに様々な定期的な宝くじ、例えば週間宝くじ、月間宝くじからクライアントは選択できる（１８３）。クラアント１５により選択されたあらゆるオプションはロッタリ・レジストレーション・サーバ１２にモバイル・ロッタリ・ウエブサイト １６を介して中継され、モバイル・ロッタリ・システム１０に登録される。ロッタリ・レジストレーション・サーバ１２は、クライアント１５に対する参加チケット（＃４０１０）を生成（１８４）、その番号を表示する。さらにチケット番号は、携帯機器２１にテキスト・メッセージ（＃４０１０）として送信される（１８５）。
【００６６】
上記のことが行われると、クライアントは自分の選択した宝くじに参加できる（１８６）。
【００６７】
図１０は、本発明の一実施例により、カスタマー・サービス・センタ２２を介した宝くじへの登録のフローチャートを示す。
【００６８】
クラアント１５は、カスタマー・サービス・センタ２２に携帯機器２１の手段あるいはインスタント・メッセージング・ソフトウェア（チャット）により接触し（２００）、自分の個人詳細データと自分が参加しようとする宝くじを通知する（２０１）。カスタマー・サービス・センタ２２のサービス部門は、要求された詳細データをシステム内に入力する。ロッタリ・レジストレーション・サーバ１２は、リクエスト用のＩＤコードを生成する（２０２）。このコードは不正の機会を最小にするためで、コードは、クラアント１５がＳＭＳメッセージとして与えた携帯機器２１の番号に送られ、クラアント１５は、このコードをカスタマー・サービス・センタ２２に再び送らなければならない（２０３）。この要求された宝くじの登録は、ロッタリ・レジストレーション・サーバ１２がクラアント１５からＳＭＳセンタ２０を介して要求に対する正しいコードを受領するまで、完了しない（２０５）。正しいコードが送られると、ロッタリ・レジストレーション・サーバ１２は、クライアント用の参加チケット（＃６０１５）を生成する（２０６）。このチケット番号は、テキスト・メッセージとしてクラアント１５に送られる（２０７）。上記が行われると、クライアントは自分の選択した宝くじに参加できる（２０８）。
【００６９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００７０】
【図１】本発明によるモバイル・ロッタリ・システムの一実施例を表す図。
【図２．１】本発明の一実施例による第１の宝くじシステムの登録を表すフローチャート図。
【図２．２】図２．１に続く、本発明の一実施例による第１の宝くじシステムの登録を表すフローチャート図。
【図３】本発明の一実施例により、携帯電話によりテキスト・メッセージ（ＳＭＳ）を送信することにより、宝くじに参加する方法を表すフローチャート図。
【図４】本発明の一実施例により、宝くじの抽選が行われ、参加者にその結果が通知される方法を表すフローチャート図。
【図５】本発明の一実施例により、ソフトウェアを用いた携帯機器により、モバイル・ロッタリ・システムへの新規参加者として参加者が登録されるステップを表すフローチャート図。
【図６】本発明の一実施例により、インターネットにより、モバイル・ロッタリ・システムへの新規参加者として参加者が登録されるステップを表すフローチャート図。
【図７】本発明の一実施例により、顧客サービスセンタにより、モバイル・ロッタリ・システムへの新規参加者として参加者が登録されるステップを表すフローチャート図。
【図８】本発明の一実施例により、携帯機器にインストールされたソフトウェア手段により、宝くじの登録を表すフローチャート図。
【図９】本発明の一実施例により、インターネットを介した、宝くじの登録を表すフローチャート図。
【図１０】本発明の一実施例により、顧客サービスセンタを介した、宝くじの登録を表すフローチャート図。
【符号の説明】
【００７１】
１０    モバイル・ロッタリ・システム
１１    インターネット
１２    ロッタリ・レジストレーション・サーバ
１３    課金センタ
１４    モバイル・ネットワーク
１５    クラアント
１６    モバイル・ロッタリ・ウエブサイト
１７    ロッタリ・オペレーション・センタ
１８    宝くじサーバ
１９    課金サーバ
２０    ＳＭＳセンタ
２１    携帯機器
２２    カスタマー・サービス・センタ
フローチャートの翻訳
図２．１
４０    「参加」を送る
４１    新規の顧客か？
４２    既存のユーザのスキームを見る
４３    「貴方の誕生日を送信し最初の無料チケットを得る」を送る
４４    誕生日は送信されたか？
４５    ユーザは登録されていない
４６    データ・フォーマットはＯＫか？
４７    以下のフォーマット「ＹＹＹＹＭＭＤＤ］で貴方の誕生日を送信してください
４８    未成年者か？
図２．２
４９    このユーザ用にＣＯＤＥ（ＣＤ１２３４）を生成する
５０    送信者の番号をブロックする
５１    この事象に対しチェケットＩＤ（＃４２４２４２）を生成する
５２    所定年齢未満のメッセージを送る
５３    ＣＯＤＥをユーザに送る
５４    ユーザは登録されない
５５    チケットＩＤを送る
５６    ユーザは登録される
図３
８０    個人ＣＯＤＥを送る
８１    有効なＣＯＤＥか？
８２    無効のＣＯＤＥメッセージをユーザに送る。貴方の年齢を有効にするために、接        触してください。
８３    新たなチケットＩＤ（）を生成する
８４    ユーザはこの事象に参加していない
８５    チケットＩＤをユーザ（）に送る。確認
８６    ユーザはこの事象に参加している
図４
１００  当たり番号を選ぶ
１０１  各ユーザに対し、当たりましたか？
１０２  当たりチケット番号をユーザに送る
１０３  貴方は当たった
１０４  通知メッセージを送る
図５
１４０  モバイル・ソフトをダウンロードする
１４１  ソフトを介して登録する
１４２  新たな顧客か？
１４３  既存のユーザのスキームを見る
１４４  未成年者か？
図６
６０    ウエブサイトの登録する
６４    ユーザの認証コードを送る
図７
１２０  カスタマー・サービス・センタを介して登録する
１２１  認証コードを生成する
１２２  ユーザに認証コードを送り返すよう誘導する
１２３  コードはユーザにより送り返されたか？
図８
１６１  ロッタリ・システムにログインする
１６２  ログオンは成功したか？
１６３  サポート・メッセージを示す
１６４  ボタンを押して参加する
１６５  チケットＩＤを生成する
１６６  チケットＩＤを送る
図９
１８０  ウエブサイトを介して登録する
図１０
２００  カスタマー・サポート・センタに電話する
２０１  事象を引く
２０２  認証コードを生成する
２０３  認証コードをユーザに送る
２０５  ユーザは事象に参加しない
【図１】
2009516242.tif 000003
【図２】
2009516242.tif 000004
【図２】
2009516242.tif 000005
【図３】
2009516242.tif 000006
【図４】
2009516242.tif 000007
【図５】
2009516242.tif 000008
【図６】
2009516242.tif 000009
【図７】
2009516242.tif 000010
【図８】
2009516242.tif 000011
【図９】
2009516242.tif 000012
【図１０】
2009516242.tif 000013